(57)【要約】【課題】電話の発信時において、着信先に通知すべき発信者名称等を、発信元が相手先（着信先）に応じて選択して通知できるようにする。【解決手段】入力される発信に関する入力情報と相手先に通知すべき発信者名称とを対応付けて設定情報メモリ１２２に記憶しておく。操作入力部１０７を通じて、発信に関する入力情報を受け付けると、受け付けた当該入力情報に基づいて、発信者情報特定部１２３が、設定情報メモリ１２２の情報を参照し、相手先に通知すべき発信者名称を特定する。この発信者情報特定手段１２３により特定した発信者名称を含む呼び出しメッセージを制御部１３０、パケット処理部１０３が形成し、これをＬＡＮＩ／Ｆ１０２を通じて目的とする相手先に送信する。【選択図】図１
2011193318.tif 000002
【特許請求の範囲】
【請求項１】
ユーザによって入力される発信に関する入力情報と相手先に通知する発信者名称とを対応付けて記憶する記憶手段と、
ユーザの入力操作に応じて発信に関する前記入力情報を受け付ける受付手段と、
前記受付手段を通じて受け付けた前記入力情報に基づいて、前記記憶手段に記憶されている情報を参照し、当該入力情報に対応付けられた前記発信者名称を特定する特定手段と、
前記特定手段により特定された前記発信者名称を含む呼び出しメッセージを形成する形成手段と、
前記形成手段により形成された前記呼び出しメッセージを送信する送信手段と
を備えることを特徴とする電話端末。
【請求項２】
請求項１に記載の電話端末であって、
前記入力情報は、目的とする回線を捕捉するためにダイヤル入力前に操作される回線捕捉キーが操作されることにより、あるいは、発信を開始させるためにダイヤル入力後に操作される発信開始キーが操作されることにより入力される情報であり、
前記記憶手段は、１以上の前記回線捕捉キーのそれぞれが操作されることにより入力される入力情報のそれぞれと目的とする発信者名称とが、あるいは、１以上の前記発信開始キーのそれぞれが操作されることにより入力される入力情報のそれぞれと目的とする発信者名称とが対応付けられて記憶されていることを特徴とする電話端末。
【請求項３】
請求項１に記載の電話端末であって、
前記入力情報は、ダイヤル入力操作により入力される電話番号、あるいは、電話帳データからの目的とする相手先の選択入力操作により特定される相手先情報であり、
前記記憶手段は、相手先の電話番号と目的とする発信者名称とが、あるいは、相手先情報と目的とする発信者名称とが対応付けられて記憶されていることを特徴とする電話端末。
【請求項４】
請求項１、請求項２または請求項３に記載の電話端末であって、
前記記録媒体には、前記入力情報に対して、発信者番号も対応付けられて記憶されており、
前記特定手段は、前記発信者名称に加えて前記発信者番号をも特定し、
前記形成手段は、前記発信者名称に加えて前記発信者番号をも含む前記呼び出しメッセージを形成することを特徴とする電話端末。
【請求項５】
発信者名称一覧表示を行うための発信者名称一覧表が記憶されている記憶手段と、
前記記憶手段に記憶されている前記発信者名称一覧表に基づいて、表示手段に発信者名称一覧表示を行う表示制御手段と、
前記表示手段に表示された発信者名称一覧表示から目的とする発信者名称を選択する選択手段と、
電話をかけるようにされた場合に、前記選択手段により選択された前記発信者名称を含む呼び出しメッセージを形成する形成手段と、
前記形成手段により形成された前記呼び出しメッセージを送信する送信手段と
を備えることを特徴とする電話端末。
【請求項６】
請求項５に記載の電話端末であって、
発信者番号一覧表示を行うための発信者番号一覧表が記憶されている番号記憶手段と、
前記番号記憶手段に記憶されている前記発信者番号一覧表に基づいて、表示手段に発信者番号一覧表示を行う番号表示制御手段と、
前記表示手段に表示された発信者番号一覧表示から目的とする発信者番号を選択する番号選択手段と
を備え、
前記形成手段は、前記選択手段により選択された前記発信者名称に加えて、前記番号選択手段により選択された発信者番号を含む呼び出しメッセージを形成することを特徴とする電話端末。
【請求項７】
自機宛の呼び出しメッセージを受信する受信手段と、
前記受信手段を通じて受信した自機宛の呼び出しメッセージに発信者名称が付加されている場合に、当該発信者名称を抽出する抽出手段と、
前記抽出手段により抽出された前記発信者名称を表示手段に表示する表示制御手段と
を備えることを特徴とする電話端末。
【請求項８】
ユーザによって入力される発信に関する入力情報と相手先に通知する発信者名称とを対応付けて記憶する記憶手段と、
ユーザの入力操作に応じて発信に関する前記入力情報を受け付ける受付手段と、
前記受付手段を通じて受け付けた前記入力情報に基づいて、前記記憶手段に記憶されている情報を参照し、当該入力情報に対応付けられた前記発信者名称を特定する特定手段と、
前記特定手段により特定された前記発信者名称を含む呼び出しメッセージを形成する形成手段と、
前記形成手段により形成された前記呼び出しメッセージを送信する送信手段と
を備える発信側の電話端末と、
自機宛の呼び出しメッセージを受信する受信手段と、
前記受信手段を通じて受信した自機宛の呼び出しメッセージに発信者名称が付加されている場合に、当該発信者名称を抽出する抽出手段と、
前記抽出手段により抽出された前記発信者名称を表示手段に表示する表示制御手段と
を備える受信側の電話端末とからなる電話システム。
【請求項９】
発信者名称一覧表示を行うための発信者名称一覧表が記憶されている記憶手段と、
前記記憶手段に記憶されている前記発信者名称一覧表に基づいて、表示手段に発信者名称一覧表示を行う表示制御手段と、
前記表示手段に表示された発信者名称一覧表示から目的とする発信者名称を選択する選択手段と、
電話をかけるようにされた場合に、前記選択手段により選択された前記発信者名称を含む呼び出しメッセージを形成する形成手段と、
前記形成手段により形成された前記呼び出しメッセージを送信する送信手段と
を備える発信側の電話端末と、
自機宛の呼び出しメッセージを受信する受信手段と、
前記受信手段を通じて受信した自機宛の呼び出しメッセージに発信者名称が付加されている場合に、当該発信者名称を抽出する抽出手段と、
前記抽出手段により抽出された前記発信者名称を表示手段に表示する表示制御手段と
を備える受信側の電話端末とからなる電話システム。
【発明の詳細な説明】
【技術分野】
【０００１】
この発明は、例えば、発信者名称等の発信者に関する情報を着信先に通知できるようにする装置およびシステムに関する。
【背景技術】
【０００２】
公衆回線を利用した電話システムにおいては、着信先の電話機に、相手（発信元）の電話番号を通知して表示できるようにする発信番号通知サービスが、電話会社の提供するサービスとして実現されている。ここで、公衆回線は、ＰＳＴＮ（Public Switched Telephone Network）やＩＳＤＮ（Integrated Services Digital Network）などを意味する。当該サービスは、ナンバー・ディスプレイ（登録商標）などと呼ばれて利用されている。また、後に記す特許文献１には、ＩＰ電話システムにおいて、電話の転送を行う場合に、転送先に転送元電話機の電話番号と被転送電話機の電話番号とをＩＮＶＩＴＥ（呼び出し）リクエスト（メッセージ）に含めて通知する発明が開示されている。この発明は、ＳＩＰ（Session Initiation Protocol）サーバの機能により実現されるものである。この発明により、転送先の電話機において、どこからどこにかかってきた電話が、自機に転送されてきたかを明確に知ることができるようにされる。なお、ＩＰ電話システムは、インターネットで利用されるパケット通信プロトコルのＩＰ（Internet Protocol）を利用して実現されるものである。
【先行技術文献】
【特許文献】
【０００３】
【特許文献１】特開２００８−２２２６８号公報
【発明の概要】
【発明が解決しようとする課題】
【０００４】
ところで、上述した公衆回線を利用した電話システムにおける発信番号通知サービスにより、着信先の電話機に通知されるのは相手（発信元）の電話番号だけである。また、特許文献１に記載された発明の場合にも、転送先に通知されるのは転送元電話機と被転送電話機（発信元）の電話番号だけである。このように通知される情報が相手の電話番号だけだと当該相手を迅速に認識することができない場合がある。そこで、通知された相手の電話番号と着信先の電話機に登録されている電話帳データとをマッチングし、一致する電話番号が存在する場合には、その電話番号に対応付けられた名前を表示することも行われている。
【０００５】
このことからも分かるように、現在提供されている発信番号通知サービス等は、着信先のユーザの利便性を向上させるためのものである。そして、発信番号通知サービス等により提供される電話番号に対応する相手先の名前等を表示する機能は、着信先の電話機の機能に依存する。すなわち、着信先の電話機のユーザが表示したい相手先の名前等が着信先の電話機に登録されている場合に、その表示が可能になる。
【０００６】
しかしながら、発信元のユーザが相手先（着信先）に応じて、着信先に通知すべき発信者名称等の発信者情報を変えるようにしたいとする要求がある。例えば、仕事で電話をかける場合、一般的な電話の場合には、着信先に発信元の会社名を通知すればよい。しかし、例えば、得意先に電話をかける場合には、得意先によっては、会社名だけでなく、部署名を通知したり、担当者名を通知したりするようにしたい場合もある。
【０００７】
以上のことに鑑み、この発明は、電話の発信時において、着信先に通知すべき発信者名称等を、発信元が相手先（着信先）に応じて選択して通知できるようにすることを目的とする。
【課題を解決するための手段】
【０００８】
上記課題を解決するため、請求項１に記載の発明の電話端末は、
ユーザによって入力される発信に関する入力情報と相手先に通知する発信者名称とを対応付けて記憶する記憶手段と、
ユーザの入力操作に応じて発信に関する前記入力情報を受け付ける受付手段と、
前記受付手段を通じて受け付けた前記入力情報に基づいて、前記記憶手段に記憶されている情報を参照し、当該入力情報に対応付けられた前記発信者名称を特定する特定手段と、
前記特定手段により特定された前記発信者名称を含む呼び出しメッセージを形成する形成手段と、
前記形成手段により形成された前記呼び出しメッセージを送信する送信手段と
を備えることを特徴とする。
【０００９】
この請求項１に記載の発明の電話端末によれば、ユーザによって入力される発信に関する入力情報と相手先に通知すべき発信者名称とが対応付けられて記憶手段に予め記憶される。受付手段を通じて、発信に関する入力情報が受け付けられると、受け付けられた当該入力情報に基づいて、特定手段により、記憶手段に記憶されている情報が参照され、当該入力情報に対応付けられている発信者名称が、相手先に通知すべき発信者名称として特定される。この特定手段により特定された発信者名称を含む呼び出しメッセージが形成手段により形成され、これが送信手段を通じて目的とする相手先に送信される。
【００１０】
このように、発信元のユーザの発信に関する入力情報に対応付けられた発信者名称が、呼び出しメッセージに含むようにされて、目的とする相手先に送信される。すなわち、電話の発信時において、着信先に通知すべき発信者名称を、発信元が相手先（着信先）に応じて選択して通知することができるようにされる。なお、当該相手先では、自機宛の呼び出しメッセージに含まれる発信者名称を抽出し、これをディスプレイに表示するなどして、着信先のユーザに通知するなどのことができるようにされる。
【発明の効果】
【００１１】
この発明によれば、電話の発信時において、着信先に通知すべき発信者名称等を着信先に応じて発信元が選択して、これを着信先に通知することができる。そして、当該発信者名称等を見る着信先のユーザによる電話への応答を確実かつ迅速に行うように促すことができる。
【図面の簡単な説明】
【００１２】
【図１】発信元の電話機と着信先の電話機とからなるこの発明の電話システムの一実施の形態を説明するための図である。
【図２】この実施の形態のＩＰ電話機１を説明するためのブロック図である。
【図３】この実施の形態のＩＰ電話機１の外観を説明するための外観図である。
【図４】ＩＰ電話機１の設定情報メモリ１２２に設定される発信者番号設定（設定情報１）を説明するための図である。
【図５】ＩＰ電話機１の設定情報メモリ１２２に設定される発信者名称設定（設定情報２）を説明するための図である。
【図６】ＩＰ電話機１の設定情報メモリ１２２に設定される発信操作と発信者情報の組み合わせ設定（設定情報３）を説明するための図である。
【図７】ＩＰ電話機１の電話帳メモリ１２１に登録される電話帳登録データについて説明するための図である。
【図８】ＩＰ電話機１における相手先に通知する発信者情報の特定方法を説明するための図である。
【図９】実施の形態で用いられるＳＩＰサーバ３を説明するための図である。
【図１０】アドレス管理ＤＢ３０６に形成される管理情報（データベース）の構成例について説明するための図である。
【図１１】操作される発信操作キーによって、相手先に通知する発信者情報を特定する場合の具体例について説明するための図である。
【図１２】ダイヤル入力内容により、相手先に通知する発信者情報を特定する場合の具体例について説明するための図である。
【図１３】発信者名称と発信者番号とを選択することにより、相手先に通知する発信者情報を特定する場合の具体例について説明するための図である。
【図１４】実施の形態のＩＰ電話機１から送出される呼び出し（ＩＮＶＩＴＥ）メッセージの例を説明するための図である。
【図１５】実施の形態のＩＰ電話機１の発信時の処理について説明するためのフローチャートである。
【図１６】図１５に続くフローチャートである。
【図１７】相手先のＩＰ電話機１の表示画面１１０Ｇに表示される発信者情報の表示例を説明するための図である。
【図１８】着信先のＩＰ電話機１における着信時の処理を説明するためのフローチャートである。
【発明を実施するための形態】
【００１３】
以下、この発明による装置、システムの一実施の形態について説明する。以下に説明する実施の形態においては、この発明をＩＰ電話機と、ＩＰ電話機が接続されて構成されるシステムに適用した場合を例にして説明する。
【００１４】
［電話システムの概要］
図１は、発信元の電話機と着信先の電話機とからなるこの発明の電話システムの一実施の形態を説明するための図である。図１に示した例の場合には、ＩＰ電話システムＡとＩＰ電話システムＢとがＩＰ網４を通じて接続することができるようにされている。ＩＰ電話システムＡとＩＰ電話システムＢとは、所定のそれぞれの事業所内に形成されたものである。そして、ＩＰ電話システムＡは、ＩＰ電話機１Ａ（１）、１Ａ（２）、…、１Ａ（ｎ）とＳＩＰサーバ３ＡとがＬＡＮ２Ａを通じて接続されて構成されている。同様に、ＩＰ電話システムＢは、ＩＰ電話機１Ｂ（１）、１Ｂ（２）、…、１Ｂ（ｎ）とＳＩＰサーバ３ＢとがＬＡＮ２Ｂを通じて接続されて構成されている。
【００１５】
図１に示すように、ＩＰ電話システムＡのＳＩＰサーバ３ＡとＩＰ電話システムＢのＳＩＰサーバ３Ｂとのそれぞれは、ＩＰ網４や電話網５に接続されている。ここで、ＩＰ網４は、ＩＰ（Internet Protocol）を用いて通信を行うネットワークを意味し、具体的にはインターネットを意味する。また、電話網５は、ＰＳＴＮ（Public Switched Telephone Network）などと呼ばれるアナログ方式の公衆交換電話網やＩＳＤＮ（Integrated Services Digital Network）などと呼ばれるデジタル回線網などを意味する。
【００１６】
ＩＰ電話システムＡのＩＰ電話機１Ａ（１）、１Ａ（２）、…、１Ａ（ｎ）のそれぞれと、ＩＰ電話システムＢのＩＰ電話機１Ｂ（１）、１Ｂ（２）、…、１Ｂ（ｎ）のそれぞれは、通話を行うためにユーザによって用いられる通信端末である。ＩＰ電話機１Ａ（１）、１Ａ（２）、…、１Ａ（ｎ）のそれぞれは、ＳＩＰサーバ３Ａを通じて、ＬＡＮ２Ａに接続された同じ事業所内の他のＩＰ電話機との間や、ＩＰ網６や電話網７に接続された外部の電話機との間で通話を行う場合に用いられる。同様に、ＩＰ電話機１Ｂ（１）、１Ｂ（２）、…、１Ｂ（ｎ）のそれぞれは、ＳＩＰサーバ３Ｂを通じて、ＬＡＮ２Ｂに接続された同じ事業所内の他のＩＰ電話機との間や、ＩＰ網６や電話網７に接続された外部の電話機との間で通話を行う場合に用いられる。このように、ＩＰ電話機１Ａ（１）、１Ａ（２）、…、１Ａ（ｎ）やＩＰ電話機１Ｂ（１）、１Ｂ（２）、…、１Ｂ（ｎ）のそれぞれは、同じＬＡＮに接続されている他のＩＰ電話機との間の内線通話と、ＩＰ網４や電話網５に接続された外部の電話機との間の外線通話との双方を行うことができるものである。
【００１７】
ＩＰ電話システムＡのＳＩＰサーバ３Ａと、ＩＰ電話システムＢのＳＩＰサーバ３Ｂとは、共に通信回線を接続する端末間のアドレス解決をするものである。このため、ＩＰ電話システムＡにおけるＬＡＮ２Ａに接続されたＩＰ電話端末１Ａ（１）、１Ａ（２）、…、１Ａ（ｎ）のそれぞれは、内線、外線を問わず、ＳＩＰサーバ３Ａを介して通話路が生成され、通話を行うことができるようにされる。同様に、ＩＰ電話システムＢにおけるＬＡＮ２Ｂに接続されたＩＰ電話端末１Ｂ（１）、１Ｂ（２）、…、１Ｂ（ｎ）のそれぞれは、内線、外線を問わず、ＳＩＰサーバ３Ｂを介して通話路が生成され、通話を行うことができるようにされる。
【００１８】
つまり、ＳＩＰサーバ３Ａは、レジストラ・サーバ機能とプロキシ・サーバ機能とを備え、これらの機能を用いることによって、ＬＡＮ２Ａに接続された電話システム内の機器間や、ＬＡＮ２Ａに接続された機器とＩＰ網４や電話網５に接続された機器間に、通信回線を接続することができるようにするものである。同様に、ＳＩＰサーバ３Ｂは、レジストラ・サーバ機能とプロキシ・サーバ機能とを備え、これらの機能を用いることによって、ＬＡＮ２Ｂに接続された電話システム内の機器間や、ＬＡＮ２Ｂに接続された機器とＩＰ網４や電話網５に接続された機器間に、通信回線を接続することができるようにするものである。
【００１９】
そして、図１に示した例においては、ＩＰ電話システムＡ内やＩＰ電話システムＢ内において内線電話をかけるようにした場合の発信元のＩＰ電話機と着信先のＩＰ電話機とによって、この発明の電話システムが構成されることになる。また、図１に示した例においては、ＩＰ電話システムＡとＩＰ電話システムＢとの相互間において外線電話をかけるようにした場合の発信元のＩＰ電話機と着信先のＩＰ電話機とによって、この発明の電話システムが構成されることになる。
【００２０】
［ＩＰ電話システムを構成する各機器の構成］
次に、図１に示したＩＰ電話システムＡのＩＰ電話機１Ａ（１）、１Ａ（２）、…、１Ａ（ｎ）やＳＩＰサーバ３Ａの構成や動作、また、ＩＰ電話システムＢのＩＰ電話機１Ｂ（１）、１Ｂ（２）、…、１Ｂ（ｎ）やＳＩＰサーバ３Ｂの構成や動作について説明する。なお、この実施の形態において、ＩＰ電話システムＡのＩＰ電話機１Ａ（１）、１Ａ（２）、…１Ａ（ｎ）のそれぞれと、ＩＰ電話システムＢのＩＰ電話機１Ｂ（１）、１Ｂ（２）、…１Ｂ（ｎ）のそれぞれは同様の構成を有し、同様の機能を実現するものである。このため、特に区別する必要のある場合を除き、以下においては、ＩＰ電話機１Ａ（１）、１Ａ（２）、…、１Ａ（ｎ）と、ＩＰ電話機１Ｂ（１）、１Ｂ（２）、…、１Ｂ（ｎ）とのそれぞれを総称してＩＰ電話機１という。
【００２１】
また、この実施の形態において、ＩＰ電話システムＡのＳＩＰサーバ３Ａと、ＩＰ電話システムＢのＳＩＰサーバ３Ｂとは同様の構成を有し、同様の機能を実現するものである。このため、特に区別する必要のある場合を除き、以下においては、ＳＩＰサーバ３Ａ、３Ｂを総称してＳＩＰサーバ３という。また、特に区別する場合を除いて、ＬＡＮ２Ａ、２Ｂについても、これらを総称してＬＡＮ２と呼ぶことにする。
【００２２】
［ＩＰ電話機１の構成と動作概要］
まず、この実施の形態のＩＰ電話機１について説明する。図２は、この実施の形態で用いられるＩＰ電話機１を説明するためのブロック図である。また、図３は、この実施の形態で用いられるＩＰ電話機１の外観を説明するための外観図である。この実施の形態のＩＰ電話機１は、この発明による発信元となる電話端末と着信先となる電話端末の一実施の形態が適用されたものである。
【００２３】
図２に示すように、ＩＰ電話機１は、主に電話機能を実現する部分として、ＬＡＮ接続端子１０１、ＬＡＮインターフェース（以下、ＬＡＮＩ／Ｆという。）１０２、パケット処理部１０３、通話音声入出力インターフェース（以下、通話音声入出力Ｉ／Ｆという。）１０４、ハンドセット接続端子１０５、ハンドセット１０６、操作入力部１０７、操作入力インターフェース（以下、操作入力Ｉ／Ｆという。）１０８、ディスプレイコントローラ１０９、ディスプレイ１１０、リンガ１１１を備えている。
【００２４】
操作入力部１０７は、ユーザからの操作入力を受け付けるための種々の操作キーを有するものである。図３は、この実施の形態のＩＰ電話機１の外観を説明するための図であり、主に本体１Ｂｄの前面（操作面）について説明するための図である。図３に示すように、ＩＰ電話機１の本体１Ｂｄの前面左側にはハンドセット１０６が載置するようにされている。また、図３に示すように、ＩＰ電話機１の本体１Ｂｄの前面右上側には、ディスプレイ１１０の表示画面１１０Ｇが設けられている。ディスプレイ１１０は、例えば、ＬＣＤ（Liquid Crystal Display）や有機ＥＬ（Organic Electro-Luminescence）ディスプレイ等の薄型の表示素子からなるものである。そして、ディスプレイ１１０の表示画面１１０Ｇの下側に種々の操作キーからなる操作入力部１０７が構成されている。
【００２５】
図３に示すように、表示画面１１０Ｇ側から順に、外線１キー〜外線５キーとして示したように、５つの外線キーからなる外線キー群７ｏｔと、内線１キー〜内線５キーとして示したように、５つの内線キーからなる内線キー群７ｅｘｔと、ＦＮ１キー〜ＦＮ５キーとして示したように、５つのファンクションキーからなるファンクションキー群７ｆｎが設けられている。
【００２６】
外線キー群７ｏｔに属する外線１キー〜外線５キーは、外線発信を行う場合の外線発信操作キーとしての機能を有するものである。そして、これら外線１キー〜外線５キーのそれぞれは、ダイヤル入力前に操作される場合には、使用する外線の捕捉を指示する回線捕捉キーとして機能し、ダイヤル入力後に操作される場合には、対応する外線を通じて発信することを指示する外線発信開始キーとして機能するものである。同様に、内線キー群７ｅｘｔに属する内線１キー〜内線５キーは、内線発信を行う場合の内線発信操作キーとしての機能を有するものである。これら内線１キー〜内線５キーのそれぞれは、ダイヤル入力前に操作される場合には、使用する内線の捕捉を指示する回線捕捉キーとして機能し、ダイヤル入力後に操作される場合には、対応する内線を通じて発信することを指示する内線発信開始キーとして機能するものである。
【００２７】
ファンクションキー群ｆｎに属するＦＮ１キー〜ＦＮ５キーは、種々の機能が割り当てられているものである。例えば、リダイヤル機能、メニュー表示機能、録音開始機能、録音再生機能といった、ＩＰ電話機１が有する各種の機能が割り当てられ、ＦＮ１キー〜ＦＮ５キーを操作することにより、割り当てられている機能を実行することができるようにされている。また、ファンクションキー群７ｆｎの下側には、０〜９までの数字キーと＊（アスタリスク）キー、＃（シャープ）キーからなる数字キー群７Ｎｂが設けられている。なお、数字キーのそれぞれには、日本語の５０音文字（日本語の仮名文字）が割り当てられ、電話帳データの名前の入力などに用いることができるようにされている。
【００２８】
さらに、数字キー群７Ｎｂの右側には、メニュー選択や項目選択などに用いられる上矢印キーＵＰ、右矢印キーＲＩ、下矢印キーＤＷ、左矢印キーＬＦ、決定キーＤＥが設けられている。これらの下側には、かかって来た電話に応答するための応答キー７Ａ、電話を保留するための保留キー７Ｒが設けられている。また、数字キー群７Ｎｂの下側には、電話帳データを表示画面１１０Ｇに表示するための電話帳キー７Ａｄと、発信を指示するための発信キー７Ｓが設けられている。そして、操作入力部１０７に設けられた種々の操作キーを操作することによって、電話帳登録データを入力して登録したり、種々の設定情報を入力して設定したりすることができるようにされる。また、後述もするように、操作入力部１０７に設けられた種々の操作キーを操作することによって、目的に応じた電話回線を選択して、目的とする相手先に電話をかけることができるようにされる。
【００２９】
また、図２に示すように、ＩＰ電話機１は、電話帳メモリ１２１、設定情報メモリ１２２、発信者情報特定部１２３を備えている。ここで、設定情報メモリ１２２と発信者情報特定部１２３とは、自機から電話をかける場合に、目的とする相手先（着信先）に応じて、ＩＰ電話機１のユーザが意図する発信者名称等の発信者情報を通知できるようにするためのものである。具体的に、設定情報メモリ１２２には、発信者番号設定（設定情報１）、発信者名称設定（設定情報２）、発信操作と発信者情報の組み合わせ設定（設定情報３）とが設定される。これらの設定情報について具体的に説明する。
【００３０】
図４は、設定情報メモリ１２２に設定される発信者番号設定（設定情報１）を説明するための図である。発信者番号設定（設定情報１）は、相手先（着信先）に対して通知することのできる発信者番号を予め設定しておくものである。そして、図４に示すように、発信者番号設定（設定情報１）は、「設定Ｎｏ．」と、「発信者番号（発番号）」と、「補足説明」とを有する。「設定Ｎｏ．」は、設定された情報のそれぞれを特定（識別）するためのものである。「発信者番号」は、発信元が使い分けられる相手先に通知する電話番号（外線番号、内線番号）である。「補足説明」は、対応する発信者番号がどのような電話番号であるかを示す情報であり、主にユーザのメモ（いわゆる覚書）として用いられるものである。図４に示した例の場合には、当該ＩＰ電話機１においては、少なくとも８個の発信者番号を使い分けることができるようにしている。
【００３１】
そして、図４に示した発信者番号設定（設定情報１）の場合には、内線発信時に通知する発信者番号（内線番号）として、「２０１３」、「１１２０１３」、「２１１３」、「１１２１１３」の４つが設定されている。「２０１３」は、所属部内への内線発信時に相手先に通知する内線番号である。「１１２０１３」は、他部門への内線発信時に相手先に通知する内線番号である。ここで、先頭の２桁の「１１」は部門を識別するための部門コードである。「２１１３」は、部内への内線発信時に相手先に通知する個人直通の内線番号である。「１１２１１３」は、他部門への内線発信時に相手先に通知する個人直通の内線番号である。この場合においても、先頭の２桁の「１１」は部門を識別するための部門コードである。
【００３２】
また、図４に示した発信者番号設定（設定情報１）の場合には、外線発信時に相手先に通知する発信者番号（外線番号）として、「０３１１１１１１１１」、「０３１１１１１２００」、「０３１１１１１２０８」、「０９０１１１１１１１１」の４つが設定されている。「０３１１１１１１１１」は、自社の代表番号である。「０３１１１１１２００」は、部門専用の代表番号である。「０３１１１１１２０８」は、個人直通の外線番号である。「０９０１１１１１１１１」は、個人の携帯電話番号である。このように、図４に示した発信者番号設定（設定情報１）が設定情報メモリ１２２に設定されているＩＰ電話機１においては、少なくとも８個の発番号（内線番号４個、外線番号４個）を使い分けて相手先に発信者番号を通知することができるようにしている。
【００３３】
図５は、設定情報メモリ１２２に設定される発信者名称設定（設定情報２）を説明するための図である。発信者名称設定（設定情報２）は、相手先（着信先）に対して通知することのできる発信者名称を予め設定しておくものである。そして、図５に示すように、発信者名称設定（設定情報２）は、「設定Ｎｏ．」と、「着信先種別」と、「設定内容（発信者名称）」とが設定される。「設定Ｎｏ．」は、設定された情報のそれぞれを特定（識別）するためのものである。「着信先種別」は、電話の相手先の種別（種類）を示すものである。「設定内容（発信者名称）」は、発信元が使い分けられる相手先に通知する発信者名称である。図５に示した例の場合には、当該ＩＰ電話機１においては、少なくとも６個の発信者名称を使い分けることができるようにしている。
【００３４】
すなわち、図５に示した発信者名称設定（設定情報２）の場合には、「山田○○」、「システム開発山田」、「ＡＺ株式会社」、「ＡＺ株式会社  システム開発」、「ＡＺ株式会社  山田○○」、「山田、佐藤、鈴木」という６個の発信者名称が設定されている。「山田○○」は、所属部内への内線発信時に相手先に通知する発信者名称である。「システム開発山田」は、所属部外への内線電話発信時に相手先に通知する発信者名称である。「ＡＺ株式会社」は、社外一般への外線発信時に相手先に通知する発信者名称である。「ＡＺ株式会社システム開発」は、社外の得意先への外線発信時に相手先に通知する発信者名称である。「ＡＺ株式会社  山田○○」は、当該ＩＰ電話機１の使用者が担当する得意先への外線発信時に相手先に通知する発信者名称である。「山田、佐藤、鈴木」は、これら複数（この例では３名）の者が担当する得意先への外線発信時に相手先に通知する発信者名称である。このように、図５に示した発信者名称設定（設定情報２）が設定情報メモリ１２２に設定されているＩＰ電話機１においては、少なくとも上述した６個の発信者名称を使い分けて、相手先（着信先）に発信者名称を通知することができるようにされる。
【００３５】
図６は、設定情報メモリ１２２に設定される発信操作と発信者情報の組み合わせ設定（設定情報３）を説明するための図である。発信操作と発信者情報の組み合わせ設定（設定情報３）は、発信時に操作される発信操作キー（外線発信操作キーや内線発信操作キー）に応じて、相手先（着信先）に通知すべき発信者情報（発番号や発信者名称）を特定するために、これらの情報の対応付けを予め設定しておくものである。そして、図６に示すように、発信操作と発信者情報の組み合わせ設定（設定情報３）としては、「設定Ｎｏ．」と、「発信操作」と、「発信者番号設定Ｎｏ．」と、「発信者名称設定Ｎｏ．」と、「補足説明」とが設定される。
【００３６】
「設定Ｎｏ．」は、設定された情報のそれぞれを特定（識別）するためのものである。「発信操作」は、操作される発信操作キーを示すものである。「発信者番号設定Ｎｏ．」は、図４を用いて説明した発信者番号設定（設定情報１）のどれを用いるかを示すものである。「発信者名称設定Ｎｏ．」は、図５を用いて説明した発信者名称設定（設定情報２）のどれを用いるかを示すものである。「補足説明」は、設定された発明者番号や発明者名称がどのようなものかを示すものであり、主にユーザのメモ（いわゆる覚書）として用いられるものである。
【００３７】
そして、図６に示した発信操作と発信者情報の組み合わせ設定（設定情報３）の場合には、以下のような設定がなされている。すなわち、設定Ｎｏ．１として、発信操作キーである内線発信１（内線１キー）が操作された場合には、図４の設定Ｎｏ．１に示した部内発信用内線番号「２０１３」と、図５の設定Ｎｏ．１に示した発信者名称「山田○○」を相手先への通知情報とすることが設定されている。また、設定Ｎｏ．２として、発信操作キーである内線発信２（内線２キー）が操作された場合には、図４の設定Ｎｏ．２に示した部外発信用内線番号「１１２０１３」と、図５の設定Ｎｏ．２に示した発信者名称「システム開発山田」を相手先への通知情報とすることが設定されている。なお、内線１キー、内線２キーは、図３に示したＩＰ電話機１の外観の内線キー群７ｅｘｔに属する操作キーである。
【００３８】
同様に、設定Ｎｏ．５として、発信操作キーである外線発信１（外線１キー）が操作された場合には、図４の設定Ｎｏ．５に示した代表番号「０３１１１１１１１１」と、図５の設定Ｎｏ．３に示した発信者名称「ＡＺ株式会社」を相手先への通知情報とすることが設定されている。また、設定Ｎｏ．６として、発信操作キーである外線発信２（外線２キー）が操作された場合には、図４の設定Ｎｏ．６に示した部門専用代表番号「０３１１１１１２００」と、図５の設定Ｎｏ．４に示した発信者名称「ＡＺ株式会社  システム開発」を相手先への通知情報とすることが設定されている。
【００３９】
また、設定Ｎｏ．７として、発信操作キーである外線発信３（外線３キー）が操作された場合には、図４の設定Ｎｏ．７に示した個人直通外線番号「０３１１１１１２０８」と、図５の設定Ｎｏ．５に示した発信者名称「ＡＺ株式会社  山田○○」を相手先への通知情報とすることが設定されている。また、設定Ｎｏ．８として、発信操作キーである外線発信４（外線４キー）が操作された場合には、図４の設定Ｎｏ．８に示した個人携帯電話番号「０９０１１１１１１１１」と、図５の設定Ｎｏ．５に示した発信者名称「ＡＺ株式会社  山田○○」を相手先への通知情報とすることが設定されている。なお、外線１キー、外線２キー、外線３キー、外線４キーのそれぞれは、図３に示したＩＰ電話機１の外観の外線キー群７ｏｔに属する操作キーである。
【００４０】
これにより、この実施の形態のＩＰ電話機１においては、発信者情報特定部１２３が、操作入力部１０７の操作キーの内、操作された発信操作キー（外線操作キー群７ｏｔや内線操作キー群７ｅｘｔの操作キー）に応じて、設定情報メモリ１２２の設定情報を参照し、相手先に通知すべき発信者情報（発番号や発信者名称）を特定することができるようにしている。
【００４１】
また、この実施の形態のＩＰ電話機１において、電話帳メモリ１２１は、よく電話をかける相手先の少なくとも名前と電話番号とを対応付けて記憶保持するものである。ここで、電話番号は外線番号と内線番号の両方を含む。すなわち、よく内線電話をかける相手先についても電話帳メモリ１２１に登録することができるようにされている。しかし、この実施の形態のＩＰ電話機１の電話帳メモリ１２１には、よく電話をかける相手先の名前と電話番号の他にも、登録された相手先毎に、発信時において通知すべき発信者情報（発番号や発信者名称）を特定する情報も設定するようにされている。
【００４２】
図７は、この実施の形態のＩＰ電話機１の電話帳メモリ１２１に登録される電話帳登録データについて説明するための図である。図７に示すように、電話帳登録データとしては、「登録Ｎｏ．」と、「名称」と、「フリガナ」と、「電話番号」と、「外線／内線」と、「発信者番号設定Ｎｏ．」と、「発信者名称設定Ｎｏ．」とが設定される。「登録Ｎｏ．」は、設定された情報のそれぞれを特定（識別）するためのものである。「名称」は、よく電話をかける相手先の名称を示すものであり、「フリガナ」は、「名称」の読みに対応するものである。また、「電話番号」は、よく電話をかける相手先の電話番号を示すものであり、「外線／内線」は、相手先は外線の接続先か、内線の接続先かを示すものである。
【００４３】
そして、「発信者番号設定Ｎｏ．」は、図４を用いて説明した発信者番号設定（設定情報１）のどれを用いるかを示すものである。「発信者名称設定Ｎｏ．」は、図５を用いて説明した発信者名称設定（設定情報２）のどれを用いるかを示すものである。この他、相手先の住所や電子メールアドレス等の情報や、備考として種々の文字情報を登録しておくこともできるようにされるが、ここではそれらについての説明は省略する。
【００４４】
そして、図７に示した電話帳メモリ１２１の電話帳登録データの場合には、以下のような設定がなされている。すなわち、登録Ｎｏ．１として、よく電話をかける相手先である「ＡＢＣ株式会社」についての「名称」、「フリガナ」、「電話番号」と「外線」を通じて接続されることが登録されている。さらに、この「ＡＢＣ株式会社」に対しては、図４の設定Ｎｏ．７に示した個人直通外線番号「０３１１１１１２０８」と、図５の設定Ｎｏ．５に示した発信者名称「ＡＺ株式会社  山田○○」を相手先への通知情報とすることが設定されている。
【００４５】
同様に、登録Ｎｏ．２として、よく電話をかける相手先である「７７７株式会社」についての「名称」、「フリガナ」、「電話番号」と「外線」を通じて接続されることが登録されている。さらに、この「７７７株式会社」に対しては、図４の設定Ｎｏ．６に示した部門専用代表番号「０３１１１１１２００」と、図５の設定Ｎｏ．６に示した発信者名称「山田、佐藤、鈴木」を相手先への通知情報とすることが設定されている。
【００４６】
同様に、登録Ｎｏ．３として、よく電話をかける相手先である「○○電気」についての「名称」、「フリガナ」、「電話番号」、及び「外線」を通じて接続されることが登録されている。さらに、この「○○電気」に対しては、図４の設定Ｎｏ．５に示した代表番号「０３１１１１１１１１」と、図５の設定Ｎｏ．３に示した発信者名称「ＡＺ株式会社」を相手先への通知情報とすることが設定されている。
【００４７】
また、登録Ｎｏ．５として、よく電話をかける相手先である「総務部」についての「名称」、「フリガナ」、「電話番号」と「内線」を通じて接続されることが登録されている。さらに、この「総務部」に対しては、図４の設定Ｎｏ．２に示した部門外用内線番号「１１２０１３」と、図５の設定Ｎｏ．２に示した発信者名称「システム開発山田」を相手先への通知情報とすることが設定されている。
【００４８】
同様に、登録Ｎｏ．６として、よく電話をかける相手先である「第３営業部」についての「名称」、「フリガナ」、「電話番号」と「内線」を通じて接続されることが登録されている。さらに、この「第３営業部」に対しては、図４の設定Ｎｏ．４に示した部門外用個人直通内線番号「１１２１１３」と、図５の設定Ｎｏ．２に示した発信者名称「システム開発山田」を相手先への通知情報とすることが設定されている。
【００４９】
同様に、登録Ｎｏ．７として、よく電話をかける相手先である「小林○郎」についての「名称」、「フリガナ」、「電話番号」、及び「内線」を通じて接続されることが登録されている。さらに、この「小林○郎」に対しては、図４の設定Ｎｏ．３に示した部内個人直通内線番号「２１１３」と、図５の設定Ｎｏ．１に示した発信者名称「山田○○」を相手先への通知情報とすることが設定されている。
【００５０】
そして、操作入力部１０７の数字キー群７Ｎｂを通じて入力された（ダイヤル入力された）電話番号が、電話帳メモリ１２１に登録されているものである場合には、当該電話番号により特定される相手先についての「発信者番号設定Ｎｏ．」と「発信者名称設定Ｎｏ．」にとって特定される発信者情報を通知することができる。また、電話帳メモリ１２１に登録された情報から、目的とする相手先が選択するようにされた場合においても、当該選択された相手先についての「発信者番号設定Ｎｏ．」と「発信者名称設定Ｎｏ．」とによって特定される発信者情報を通知することができる。これらの発信者情報の特定処理もまた、発信者情報特定部１２３の機能により実現される。
【００５１】
また、ＩＰ電話機１は、図２に示すように、各部を制御する制御部１３０を備えている。制御部１３０は、ＣＰＵ（Central Processing Unit）１３１、ＲＯＭ（Read Only Memory）１３２、ＲＡＭ（Random Access Memory）１３３が、ＣＰＵバス１３４を通じて接続されて構成されたマイクロコンピュータである。ここで、ＣＰＵ１３１は、ＲＯＭ１３２に記憶保持されているプログラムを読み出して実行し、各部に供給する制御信号を形成してこれを各部に供給したり、また、各部から供給されるデータを処理したりするものである。
【００５２】
ＲＯＭ１３２は、上述のように、ＣＰＵ１３１で実行される種々のプログラムや処理に必要になる各種のデータが記憶保持されたものである。また、ＲＡＭ１３３は、処理の途中結果を一時記憶するなど、主に作業領域として用いられるものである。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラムなどについても記憶保持することができるようにされている。
【００５３】
そして、この実施の形態のＩＰ電話機１は、自機から発信を行う場合に、３種類の発信操作に応じて、相手先（着信先）に通知すべき発信者情報を特定することができるようにしている。図８は、この実施の形態のＩＰ電話機１において、相手先に通知する発信者情報の特定方法を説明するための図である。図８に示すように、相手先に通知する発信者情報の特定方法には、「１．発信操作キーで判断」、「２．ダイヤル入力内容で判断」、「３．発信者名称と発信者番号を選択」の３種類の方法がある。
【００５４】
「１．発信操作キーで判断」は、操作された発信操作キー（外線操作キー群７ｏｔや内線操作キー群７ｅｘｔの操作キー）に基づいて、設定情報メモリ１２２の図６に示した設定情報３を参照することにより、相手先（着信先）に通知すべき発信者情報を特定する方法である。「２．ダイヤル入力内容で判断」は、ダイヤル入力された電話番号に基づいて、電話帳メモリ１２１の図７に示した電話帳登録データを参照することにより、相手先（着信先）に通知すべき発信者情報を特定する方法である。なお、「２．ダイヤル入力内容で判断」には、電話帳メモリ１２１の図７に示した電話帳登録データから直接に目的とする相手先を選択した場合に、当該選択した相手先に設定された「発信者番号設定Ｎｏ．」や「発信者名称設定Ｎｏ．」によって通知すべき発信者情報を特定する場合も含む。また、「３．発信者名称と発信者番号を選択」は、図４に示した発信者番号設定（設定情報１）と図５に示した発信者名称設定（設定情報２）とから直接に目的とする発信者番号と発信者名称とを選択する方法である。
【００５５】
［発信（発呼）時の処理概要］
次に、上述した構成を有するこの実施の形態のＩＰ電話機１から電話をかける場合（発信する場合）の処理の概要について説明する。この実施の形態のＩＰ電話機１から電話をかける場合には、以下のような幾つかの操作方法がある。１つは、（１）外線キー群７ｏｔや内線キー群７ｅｘｔの発信操作キーを操作して用いる回線をまず捕捉した後に、ダイヤル入力を行った発信キー７Ｓを操作して発信する方法である。他の１つは、（２）ダイヤル入力を行った後、外線キー群７ｏｔや内線キー群７ｅｘｔが発信開始キーとして用いられ、操作された発信開始キーに応じて用いる回線を選択して発信する方法である。他の１つは、（３）電話帳メモリ１２１に登録された電話帳登録データから目的とする相手先を選択し、発信キー７Ｓや外線キー群７ｏｔや内線キー群７ｅｘｔの発信操作キーを操作して発信する方法である。
【００５６】
これら（１）〜（３）のいずれかの操作方法を用いて、目的とする相手先に電話をかけることができるようにされる。そして、操作入力部１０７を通じてダイヤル入力された電話番号や内線番号、あるいは、操作入力部１０７を通じて電話帳登録データを選択することにより特定された電話番号（外線番号）や内線番号は、操作入力Ｉ／Ｆ１０８を通じて制御部１３０に供給される。また、この時、詳しくは後述するが、発信者情報特定部１２３は、操作入力部１０７を通じて受け付けた情報と、設定情報メモリ１２２や電話帳メモリ１２１に設定されている情報に基づいて、相手先（着信先）に通知すべき発信者情報（発信者番号や発信者名称）を特定して、これを制御部１３０に供給する。
【００５７】
すると、制御部１３０は、相手先の電話番号や発信者情報を含むＩＮＶＩＴＥ（呼び出し）メッセージ（発呼メッセージ）を形成し、これをパケット処理部１０３に供給する。パケット処理部１０３は、自機からの呼び出しメッセージをパケット化し、これをＬＡＮＩ／Ｆ１０２、ＬＡＮ接続端子１０１を通じてＬＡＮ２に送出し、目的とする通信の相手先に送信するようにする。この後、目的とする相手先からの応答が返信されてきた場合に、通信路を生成する。そして、ＩＰ電話機１のユーザは、ハンドセット１０６を通じて通話を行うことができるようにされる。
【００５８】
この場合、相手先からのパケット化された音声データは、ＬＡＮ接続端子１０１、ＬＡＮＩ／Ｆ１０２を通じて受け付けられ、パケット処理部１０３に供給される。そして、パケット処理部１０３においてパケット分解され、制御データは、制御部１３０に、また、音声データは通話音声入出力Ｉ／Ｆ１０４に供給される。通話音声入出力Ｉ／Ｆ１０４は、パケット処理部１０３からの音声データから自機のハンドセット１０６のスピーカ（受話器）に供給するアナログ音声信号を形成し、ハンドセット接続端子１０５を通じてハンドセット１０６のスピーカに供給する。これにより、相手先から送信されてくる相手先の音声が、ハンドセット１０６のスピーカから放音される。
【００５９】
一方、ハンドセット１０６のマイクロホン（送話器）によって集音された音声は、ここで電気信号に変換され、ハンドセット接続端子１０５を通じて通話音声入出力Ｉ／Ｆ１０４に供給される。通話音声入出力Ｉ／Ｆ１０４は、ハンドセット１０６からの音声データをデジタル信号に変換するなどの処理を行って、これをパケット処理部１０３に供給する。パケット処理部１０３は、通話音声入出力Ｉ／Ｆ１０４からの音声データを含む相手先への送信用のパケットデータを形成し、これをＬＡＮＩ／Ｆ１０２、ＬＡＮ接続端子１０１を通じてＬＡＮ２に送出し、通信の相手先に送信する。このようにしてＩＰ電話機１は、目的とする相手先に電話をかけて、通話を行うことができるようにされるが、発信時において相手先（着信先）に応じて発信者情報を変えて通知することができるようにされている。
【００６０】
［着信（着呼）時の処理概要］
次に、この実施の形態のＩＰ電話機１に電話がかかってきた場合（自機に着信がある場合）の処理について説明する。ＬＡＮ２を介して送信されてくるパケットデータは、ＬＡＮ接続端子１０１を通じてＬＡＮＩ／Ｆ１０２に供給され、ここで自機において処理可能な形式のデータに変換された後、ＣＰＵバス１３４を介して、パケット処理部１０３に供給される。パケット処理部１０３は、供給されたパケットデータに含まれる制御データや音声データを分解して抽出する。ここで分解された制御データは制御部１３０に供給され、自機の制御に用いられる。また、上述もしたように、自機（自端末）宛の音声データが含まれていた場合には、当該音声データは、ＣＰＵバス１３４を通じて通話音声入出力Ｉ／Ｆ１０４に供給されて処理されることになる。
【００６１】
そして、パケット処理部１０３において分解されて抽出された制御データが、自機への呼び出し（着信）メッセージである場合には、制御部１３０は、リンガ１１１を制御して、着信鳴動させる。同時に、制御部１３０は、当該呼び出しメッセージに含まれていた発信元の発信者番号や発信者名称を抽出し、これらをディスプレイコントローラ１０９を通じてディスプレイ１１０に供給する。これにより、ディスプレイ１１０の表示画面に自機に着信があることを通知するメッセージや発信元の電話番号や内線番号、さらに発信者名称などを表示することができるようにされる。そして、自機への着信に応じて、ユーザがハンドセット１０６をＩＰ電話機１の本体１Ｂｄから持ち上げると、当該ＩＰ電話機１はオフフック状態となる。制御部１３０は、自機への着信に応じてオフフック状態にされると、着信に応答するメッセージを形成し、これをパケット処理部１０３においてパケット化して、ＬＡＮＩ／Ｆ１０２に供給する。
【００６２】
ＬＡＮＩ／Ｆ１０２は、着信に応答するための当該パケットデータを送信用のパケットデータに変換し、これをＬＡＮ接続端子１０１を通じてＬＡＮ２に送出し、発呼元の端末に送信する。これにより発呼元との間において、通信路が生成され、通話が開始される。この場合、発信時の処理概要において上述もしたように、ＬＡＮ接続端子１０１、ＬＡＮＩ／Ｆ１０２、パケット処理部１０３、通話音声入出力Ｉ／Ｆ１０４、ハンドセット接続端子１０５、ハンドセット１０６からなる通話系の機能により通話を行うことができるようにされる。このように、ＩＰ電話機１は、自機にかかってきた電話に応答して通話を行うことができるようにされるが、着信時においては、自機宛の呼び出しメッセージに含まれる発信者情報である発信者番号や発信者名称を抽出して、これをディスプレイ１１０に表示することができるものである。
【００６３】
［ＳＩＰサーバ３の構成と動作概要］
次に、この実施の形態のシステムで用いられるＳＩＰサーバ３について説明する。図９は、この実施の形態のシステムで用いられるＳＩＰサーバ３を説明するためのブロック図である。図９に示すように、ＳＩＰサーバ３は、ＩＰ網４への接続端子３０１と、ＩＰインターフェース（以下、ＩＰＩ／Ｆと略称する。）３０２と、パケット分解／生成部３０３と、ＬＡＮＩ／Ｆ３０４と、ＬＡＮ接続端子３０５と、アドレス管理データベース（以下、アドレス管理ＤＢと略称する。）３０６と、電話網インターフェース（以下、電話網Ｉ／Ｆと略称する。）３０７と、電話網５への接続端子３０８と、制御部３１０とを備えたものである。
【００６４】
制御部３１０は、この実施の形態のＳＩＰサーバ３の各部を制御するものであり、図９に示すように、ＣＰＵ３１１、ＲＯＭ３１２、ＲＡＭ３１３がＣＰＵバス３１４を通じて接続されて構成されたマイクロコンピュータである。ここで、ＣＰＵ３１１は、ＲＯＭ３１２に記憶保持されているプログラムを実行することにより、各部を制御するための制御信号を生成して各部に供給したり、各部からの情報を処理したりするものである。ＲＯＭ３１２は、上述のように、ＣＰＵ３１１で実行される種々のプログラムや処理に必要となる種々のデータを記憶保持しているものである。
【００６５】
また、ＲＡＭ３１３は、処理の途中結果を一時記憶するなど、主に、作業領域として用いられるものである。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラムなどについても記憶保持することができるようにされている。
【００６６】
そして、接続端子３０１はＩＰ網４への接続端部を構成するものである。ＩＰＩ／Ｆ３０２は、ＩＰ網４との間でデータを送受するようにするためのものであり、ＩＰ網４を通じて供給されるパケットデータを受け付けて、これを自機において処理可能な形式のデータに変換して制御部３１０に供給したり、制御部３１０を通じて供給される送信すべきパケットデータを送信用の形式のデータに変換して、これをＩＰ網４に送出したりする。
【００６７】
また、ＬＡＮ接続端子３０５はＬＡＮ２への接続端部を構成するものである。ＬＡＮＩ／Ｆ３０４は、ＬＡＮ２との間でデータを送受するようにするためのものであり、ＬＡＮ２を通じて供給されるパケットデータを受け付けて、これを自機において処理可能な形式のデータに変換して制御部３１０に供給したり、制御部３１０を通じて供給される送信すべきパケットデータを送信用の形式のデータに変換して、これをＬＡＮ２に送出したりする。
【００６８】
また、接続端子３０８は電話網５への接続端部を構成するものである。電話網Ｉ／Ｆ３０７は、電話網５との間でデータを送受するようにするためのものであり、電話網５を通じて供給されるデータを受け付けて、これを自機において処理可能な形式のデータに変換して制御部３１０に供給したり、制御部３１０を通じて供給される送信すべきデータを送信用の形式のデータに変換して、これを電話網５に送出したりする。
【００６９】
そして、パケット分解／生成部３０３は、パケットデータの分解や生成を行うものである。具体的には、ＳＩＰサーバ３に対して、ＬＡＮ接続されているＩＰ電話機１からの電話網５に接続された端末装置に送信すべきパケットデータは、ＬＡＮ接続端子３０５、ＬＡＮＩ／Ｆ３０４を通じて制御部３１０に受け付けられた後、パケット分解／生成部３０３においてパケット分解された後に、電話網Ｉ／Ｆ３０７、接続端子３０８を通じて電話網５に送出され、目的とする相手先に送信するようにされる。
【００７０】
また、電話網５に接続された端末装置からのＬＡＮ接続されているＩＰ電話機１へのデータは、接続端子３０８、電話網Ｉ／Ｆ３０７を通じて受け付けられた後、パケット分解／生成部３０３において、所定の形式のパケットデータとされ、これがＬＡＮＩ／Ｆ３０４、ＬＡＮ接続端子３０５を通じて、ＬＡＮ２に送出されて、目的とするＩＰ電話機１に送信するようにされる。
【００７１】
なお、ＩＰ網４に接続された端末と、ＳＩＰサーバ３にＬＡＮ接続されたＩＰ電話機１等との間では、パケットデータが送受されるため、パケット分解／生成部３０３において、パケットの分解や生成は行われることはなく、ＩＰＩ／Ｆ３０２、ＬＡＮＩ／Ｆ３０４において、データ形式が整えられてそのまま送受するようにされる。
【００７２】
そして、アドレス管理ＤＢ３０６は、上述したレジストラ・サーバ機能を実現するために、ＩＰ網４やＬＡＮ２に接続され、このＳＩＰサーバ３を通じて呼び出す可能性のある端末装置についてのアドレス情報を記憶保持するものである。具体的には、ＳＩＰサーバ３の制御部３１０は、ＩＰＩ／Ｆ３０２やＬＡＮＩ／Ｆ３０４を通じて、これらに接続されている種々の端末装置からの登録要求（レジスタ・リクエスト）を受信した場合に、これに含まれるＵＲＩ（Uniform Resource Identifier）やＩＰアドレスなどのアドレス情報を抽出し、抽出したアドレス情報をアドレス管理ＤＢ３０６に登録したり、抽出アドレス情報を用いてアドレス管理ＤＢ３０６の登録情報を更新したりする。
【００７３】
このようにして、アドレス管理ＤＢ３０６に登録されて管理される情報が参照され、自機にＬＡＮ接続されているＩＰ電話機１などから要求のあった通信先を確実に特定し、その特定した相手先に送信すべき情報（パケットデータ）を転送するようにするプロキシ・サーバとしての機能を実現するようにしている。また、アドレス管理ＤＢ３０６に登録されて管理される情報は、自機にＬＡＮ接続されているＩＰ電話機１などへの着信の判別などにも用いられる。
【００７４】
ここで、アドレス管理ＤＢ３０６内に形成される管理情報の具体例について説明する。図１０は、アドレス管理ＤＢ３０６に形成される管理情報（データベース）の構成例について説明するための図である。ＳＩＰサーバ３のアドレス管理ＤＢ３０６には、当該ＳＩＰサーバ３にＬＡＮ接続されたＩＰ電話機１などについてのアドレス情報のほか、ＩＰ網４に接続された他のＩＰ電話システムの端末装置のアドレス情報をも管理することができるものである。
【００７５】
基本的にアドレス管理ＤＢ３０６に形成される管理情報は、ＩＰ網４に接続された端末装置から送信されてくるＵＲＩ（ＳＩＰ  ＵＲＩ）と、ＩＰアドレスであるが、この実施の形態のＳＩＰサーバ３のアドレス管理ＤＢ３０６には、ＳＩＰサーバ３にＬＡＮ接続されたＩＰ電話機１については、ＩＰ電話機毎に予め付加されているＭＡＣ（Media Access Control）アドレス、内線番号、ユーザ名などの情報についても登録することができるようにしている。
【００７６】
そして、この実施の形態のシステムにおいて、ＩＰ電話機１からＩＰ網４に接続された端末装置に対して電話をかける場合には、ＳＩＰサーバ３は自己のアドレス管理ＤＢ３０６の管理情報に基づいて、目的とする相手先の端末装置に対して、メッセージの転送を行うようにしている。また、ＬＡＮ２に接続されているＩＰ電話機１に対してかかってきた外線や、ＬＡＮ２に接続されたＩＰ電話機１間の内線の場合には、ＳＩＰサーバ３は、送信されてきたメッセージを受け付けて、これを自システム内に送出するようにしている。
【００７７】
なお、発信に際して、ＩＰ電話番号が用いられる場合には、図１には図示しなかったが、ＩＰ網４に接続されているゲートウエイやＤＮＳ（Domain Name System）が利用されて、ＩＰ電話番号からＵＲＩなどが検索されて用いられることになる。相手先から、この実施の形態のシステムのＩＰ電話機１に対して、ＩＰ電話番号を用いて電話をかける場合においても同様に、ＩＰ網４に接続されているゲートウエイやＤＮＳが利用されて、ＩＰ電話番号からＵＲＩなどが検索されて用いられることになる。
【００７８】
このように、この実施の形態のＳＩＰサーバ３は、パケット分解／生成部３０３やアドレス管理ＤＢ３０６を備え、ＳＩＰサーバ３が接続される種々のネットワークに接続される端末間のメッセージの中継を行うことができるものである。
【００７９】
［発信者情報を通知する場合の具体例］
次に、図１に示したシステムにおいて、ＩＰ電話システムＡのいずれかのＩＰ電話機１Ａから例えばＩＰ電話システムＢのいずれかのＩＰ電話機１Ｂ等へ外線電話をかける場合に、発信元から相手先（着信先）に発信者情報を通知する場合の具体例について説明する。
【００８０】
上述もしたように、この実施の形態のＩＰ電話機１から発信する場合には、（１）外線キー群７ｏｔや内線キー群７ｅｘｔの発信操作キーを操作して用いる回線をまず捕捉した後に、ダイヤル入力を行って発信キー７Ｓを操作して発信する方法がある。また、（２）ダイヤル入力を行った後、外線キー群７ｏｔや内線キー群７ｅｘｔを発信開始キーとして用いて、操作された発信開始キーに応じて用いる回線を選択して発信する方法がある。これら（１）、（２）として示した発信操作は、必ず発信操作キーが操作されるので、上述した「１．発信操作キーで判断」する方法によって、相手先に通知する発信者情報を特定することができる。
【００８１】
また、ＩＰ電話機１は、（３）電話帳メモリ１２１に登録された電話帳登録データから目的とする相手先を選択し、発信キー７Ｓや外線キー群７ｏｔや内線キー群７ｅｘｔの発信操作キーを操作して発信する方法がある。この（３）として示した発信操作が行われた場合と、ダイヤル入力された電話番号が電話帳メモリ１２１に登録されたものである場合には、上述した「２．ダイヤル入力内容で判断」する方法によって、相手先に通知する発信者情報を特定することができる。
【００８２】
この他、上述した（１）〜（３）の発信操作に先立って、図４に示した発信者番号設定（設定情報１）と発信者名称設定（設定情報２）とから直接に目的とする発信者番号と発信者名称とが選択するようにされた場合には、当該選択された発信者番号と発信者名称とを相手先に通知する発信者情報として特定する。すなわち、上述した「３．発信者名称と発信者番号を選択」する方法によって、相手先に通知する発信者情報することができる。
【００８３】
以下、相手先に通知する発信者情報の特定方法である、上述した「１．発信操作キーで判断」、「２．ダイヤル入力内容で判断」、「３．発信者名称と発信者番号を選択」の３種類の方法のそれぞれについて具体例を示して説明する。
【００８４】
［１．発信操作キーで判断する方法］
まず、操作される発信操作キーによって、相手先に通知する発信者情報を特定する方法について具体的に説明する。図１１は、操作される発信操作キーによって、相手先に通知する発信者情報を特定する場合の具体例について説明するための図である。上述もしたように、発信操作キーである外線キー群７ｏｔの各外線キー（外線１キー〜外線５キー）は、ダイヤル入力前においては、回線捕捉キーとして用いられ、ダイヤル入力後においては、発信開始キーとして用いられる。
【００８５】
最初に、（１）外線キー群７ｏｔをダイヤル入力前において回線捕捉キーとして用いて目的とする回線をまず捕捉した後に、ダイヤル入力を行った後、発信キー７Ｓを操作して発信する場合に、当該回線捕捉キーの種別に応じて相手先に通知する発信者情報を特定する例について説明する。この場合には、図１１の「（１）ダイヤル入力前の回線捕捉キー種別により切替」の欄に示すように、まず、目的とする相手先に外線電話をかけるために、ＩＰ電話機１Ａの外線キー群７ｏｔの外線１キーが押下操作されたとする。この場合、制御部１３０は、パケット処理部１０３、ＬＡＮＩ／Ｆ１０２、ＬＡＮ接続端子１０１を通じてＳＩＰサーバ３Ａに対して外線１を捕捉する指示を出し、当該外線１を捕捉するようにする。
【００８６】
そして、発信者情報特定部１２３は、操作された外線１キーに基づいて図６に示した発信操作と発信者情報の組み合わせ設定（設定情報３）を参照し、当該外線１キーに対応付けられている発信者番号と発信者名称とを通知する発信者情報として特定（決定）する。この例の場合、図６の設定情報の設定ＮＯ．５の情報が目的とする情報として特定（決定）される。この後、発信元のＩＰ電話機１Ａの制御部１３０は、数字キー群７Ｎｂを通じてダイヤル入力を受け付け、発信キー７Ｓが押下操作されると、ダイヤル入力された相手先の電話番号と発信者情報特定部１２３が特定した発信者情報を含む呼び出し（ＩＮＶＩＴＥ）メッセージを形成して送出する。
【００８７】
この時、当該呼び出しメッセージには、図６の設定情報３の設定Ｎｏ．５の欄に示したように、外線１キー（外線発信１）に対応付けられているのは、発信者番号設定Ｎｏ．５と発信者名称設定Ｎｏ．３である。発信者番号設定Ｎｏ．５の発信者番号は、図４に示したように、代表番号「０３１１１１１１１１」であり、発信者名称設定Ｎｏ．３は、図５に示したように、発信者名称「ＡＺ株式会社」であるので、これらが発信者情報として相手先に通知されることになる。
【００８８】
次に、（２）ダイヤル入力を行った後、外線キー群７ｏｔや内線キー群７ｅｘｔが発信開始キーとして用いられ、操作された発信開始キーに応じて用いる回線を選択して発信する場合に、当該発信開始キーの種別に応じて相手先に通知する発信者情報を特定する例について説明する。この場合には、図１１の「（２）ダイヤル入力後の発信開始キー種別により切替」の欄に示すように、まず、発信元のＩＰ電話機１Ａは、数字キー群７Ｎｂを通じてダイヤル入力を受け付ける。そして、発信開始キーとしての外線１キーが押下操作されると、制御部１３０は、パケット処理部１０３、ＬＡＮＩ／Ｆ１０２、ＬＡＮ接続端子１０１を通じてＳＩＰサーバ３Ａに対して外線１を捕捉する指示を出し、当該外線１を捕捉するようにする。
【００８９】
そして、発信者情報特定部１２３は、操作された外線１キーに基づいて図６に示した発信操作と発信者情報の組み合わせ設定（設定情報３）を参照し、当該外線１キーに対応付けられている発信者番号と発信者名称とを通知する発信者情報として特定（決定）する。この例の場合、図６の設定情報の設定ＮＯ．５の情報が目的とする情報として特定（決定）される。この後、発信元のＩＰ電話機１Ａの制御部１３０は、ダイヤル入力された相手先の電話番号と発信者情報特定部１２３が特定した発信者情報を含む呼び出し（ＩＮＶＩＴＥ）メッセージを形成して送出する。
【００９０】
この例の場合にも、呼び出しメッセージには、図６の設定情報３の設定Ｎｏ．５の欄に示したように、外線１キー（外線発信１）に対応付けられているのは、発信者番号設定Ｎｏ．５と発信者名称設定Ｎｏ．３である。したがって、発信者番号設定Ｎｏ．５の発信者番号は、図４に示したように、代表番号「０３１１１１１１１１」であり、発信者名称設定Ｎｏ．３は、図５に示したように、発信者名称「ＡＺ株式会社」であるので、これらが発信者情報として相手先に通知されることになる。
【００９１】
［２．ダイヤル入力内容で判断する方法］
次に、ダイヤル入力内容で相手先に通知する発信者情報を特定する方法について具体的に説明する。図１２は、ダイヤル入力内容により、相手先に通知する発信者情報を特定する場合の具体例について説明するための図である。この方法は、上述もしたように、この実施の形態のＩＰ電話機１の電話帳メモリ１２１に登録された電話帳登録データを用いるものである。そして、この方法は、上述もしたように、電話帳メモリ１２１から目的とする電話帳登録データが選択されるか、ダイヤル入力された電話番号が電話帳メモリ１２１に登録されていた場合に用いられるものである。
【００９２】
この場合、図１２に示すように、ＩＰ電話機１Ａの数字キー群７Ｎｂを通じて電話帳メモリ１２１に登録されている電話番号「０４５２２２３３３３」が入力されたとする。あるいは、電話帳メモリ１２１から登録Ｎｏ．１の電話帳登録データが選択されたとする。なお、電話帳登録データの選択は、操作入力部１０７の電話帳キー７Ａｄが押下操作されることにより、電話帳メモリ１２１に登録されている電話帳登録データがディスプレイ１１０の表示画面１１０Ｇに表示される。そして、上矢印キーＵＰまたは下矢印キーが操作されることにより、電話帳メモリ１２１に登録されている電話帳登録データの表示をスクロールさせ、目的する電話帳登録データが表示画面１１０Ｇに表示されたところで、決定キーＤＥが操作されると、当該表示されている電話帳登録データが電話をかける相手先として決定される。また、この場合には、発信者情報特定部１２３の機能により、対応する電話帳登録データの「発信者番号設定Ｎｏ．」と「発信者名称設定Ｎｏ．」とに応じた発信者番号、発信者名称が、相手先に通知すべき発信者情報として特定される。
【００９３】
そして、外線キー群７ｏｔの外線キーなどの発信操作キーが押下操作されると、電話帳登録データの相手先の電話番号と発信者情報特定部１２３が特定した発信者情報を含む呼び出し（ＩＮＶＩＴＥ）メッセージを形成して送出する。この例の場合、電話帳メモリ１２１の登録Ｎｏ．１の電話帳登録データにおいては、「発信者番号設定Ｎｏ．」は設定Ｎｏ．７とされ、「発信者名称設定Ｎｏ．」は設定Ｎｏ．５とされている。発信者番号設定Ｎｏ．７の発信者番号は、図４に示したように、個人直通外線番号「０３１１１１１２０８」であり、発信者名称設定Ｎｏ．５は、図５に示したように、発信者名称「ＡＺ株式会社  山田○○」であるので、これらが発信者情報として相手先に通知されることになる。
【００９４】
［３．発信者名称と発信者番号を選択する方法］
次に、発信者名称と発信者番号とを選択することにより、相手先に通知する発信者情報を特定する方法について具体的に説明する。図１３は、発信者名称と発信者番号とを選択することにより、相手先に通知する発信者情報を特定する場合の具体例について説明するための図である。この方法は、上述もしたように、発信操作に先立って、図４に示した発信者番号設定（設定情報１）と図５に示した発信者名称設定（設定情報２）とから直接に目的とする発信者番号と発信者名称とを選択するものである。
【００９５】
まず、発信元のＩＰ電話機１Ａのユーザは、例えば、ファンクションキー群７ｆｎに設けられているメニューキーを押下操作することにより、メニューを表示し、上矢印キーＵＰ、下矢印キーＤＷを操作して「発明者名称一覧表示」にカーソルを位置付けて決定キーＤＥを押下操作する。これにより、発信者情報特定部１２３は、設定情報メモリ１２２の発明者名称設定（設定情報２）から設定情報を読み出し、これを制御部１３０、ディスプレイコントローラ１０９を通じてディスプレイ１１０の表示画面１１０Ｇに表示する。そして、ＩＰ電話機１Ａのユーザにより、上矢印キーＵＰ、下矢印キーＤＷが操作されると、発信者情報特定部１２３は、操作に応じて設定情報メモリ１２２の発明者名称設定（設定情報２）から設定情報を読み出して表示画面１１０Ｇに表示するようにして、発信者名称のスクロール表示を行う。そして、表示画面１１０Ｇに表示される目的とする発信者名称にカーソルを位置付けるようにして決定キーＤＥが押下操作されると、発信者情報特定部１２３は、当該選択決定された発信者名称を相手先に通知する発信者名称として特定する。
【００９６】
同様に、メニューキー、上矢印キーＵＰ、下矢印キーＤＷ、決定キーＤＥが操作され、発信者番号の一覧表示から、目的とする発信者番号が選択され、決定されることにより、発信者情報特定部１２３により、相手先に通知する発信者番号が特定される。この後、発信元のＩＰ電話機１Ａの制御部１３０は、数字キー群７Ｎｂを通じてダイヤル入力を受け付けるなどして、相手先の電話番号を受け付ける。そして、制御部１３０は、外線キー群７ｏｔの外線キーなどの発信操作キーが押下操作されると、相手先の電話番号と発信者情報特定部１２３が特定した発信者情報を含む呼び出し（ＩＮＶＩＴＥ）メッセージを形成して送出する。
【００９７】
この例の場合、発信者名称として「ＡＺ株式会社  山田○○」発信者番号「０３１１１１１１１１」が選択されたとすると、これらが発信者情報として、呼び出しメッセージに含められて、相手先に送信されることになる。
【００９８】
図１４は、この実施の形態のＩＰ電話機１から送出される呼び出し（ＩＮＶＩＴＥ）メッセージの例を説明するための図である。図１４に示した呼び出しメッセージにおけるＦｒｏｍ：項目に発信者名称（図１４では、「ＡＺ株式会社  山田○○」）と発信者番号（図１４では、「０３１１１１１２０８」）とを付加して相手先に送信する。これにより、発信元のＩＰ電話機１から相手先に目的とする発信者情報を通知することができるようにされる。
【００９９】
［ＩＰ電話機１からの発信時の処理のまとめ］
次に、図１１〜図１３を用いて具体的に説明したこの実施の形態のＩＰ電話機１からの発信時の処理について、図１５、図１６のフローチャートを参照しながらまとめる。図１５、図１６は、この実施の形態のＩＰ電話機１の発信時の処理について説明するためのフローチャートである。この図１５、図１６に示すフローチャートの処理は、ＩＰ電話機１の主に制御部１３０と発信者情報特定部１２３とによって行われる処理である。
【０１００】
制御部１３０は、操作入力部１０７を通じてユーザからの操作入力を常時受け付けるようにしている（ステップＳ１０１）。ステップＳ１０１において、操作入力部１０７を通じて操作入力を受け付けると、制御部１３０は受け付けた操作入力は、外線キー群７ｏｔや内線キー群７ｅｘｔの操作キーである回線捕捉キーに対する操作入力か否かを判断する（ステップＳ１０２）。ステップＳ１０２の判断処理において、回線捕捉キーに対する操作入力が行われたと判断したときには、制御部１３０は発信者情報特定部１２３を制御して、相手先（着信先）に通知すべき発信者情報を特定する処理を行う（ステップＳ１０３）。具体的にステップＳ１０３において発信者情報特定部１２３は、ユーザにより操作された回線捕捉キーの種別（種別）に基づいて、図６に示した発信操作と発信者情報の組み合わせ設定（設定情報３）を参照し、相手先に通知する発信者番号と発信者名称とを特定する（ステップＳ１０３）。
【０１０１】
この後、制御部１３０は、数字キー群７Ｎｂを通じてダイヤル入力を受け付けたり、電話帳メモリ１２１から目的とする電話帳登録データの選択を受け付けたりすることにより、目的とする相手先の電話番号を受け付ける（ステップＳ１０４）。そして、制御部１３０は、操作入力部１０７の発信キーＳが押下操作されると、呼び出し（ＩＮＶＩＴＥ）メッセージを形成して送信して、発信する（ステップＳ１０５）。より具体的には、制御部１３０で形成された呼び出しメッセージは、パケット処理部１０３においてパケット化された後、ＬＡＮＩ／Ｆ１０２、ＬＡＮ接続端子１０１を通じてＬＡＮ２に送出されてＳＩＰサーバ３に送信される。このステップＳ１０５において形成され、送信される呼び出しメッセージは、相手先の電話番号や特定した発信者番号、発信者名称を含むものである。
【０１０２】
そして、ＳＩＰサーバ３はＩＰ電話機１からの当該呼び出しメッセージの情報に応じて、目的とする相手先を特定し、当該相手先に送信する呼び出しメッセージを整えてこれを送信する。この後、相手先から応答があると通信回線を接続して通話を行うことができるようにされる。
【０１０３】
また、ステップＳ１０２の判断処理において、受け付けた操作入力は、回線捕捉キーに対する操作入力ではないと判断したときには、制御部１３０は、受け付けた操作入力は、数字キー群７Ｎｂを通じて行われたダイヤル入力か否かを判断する（ステップＳ１０６）。ステップＳ１０６において、受け付けた入力操作がダイヤル入力であると判断したときには、制御部１３０は、ダイヤル入力された電話番号に基づいて電話帳メモリ１２１の得意先登録データを参照する（ステップＳ１０７）。そして、制御部１３０は、ダイヤル入力された電話番号に対応する電話帳登録データが電話帳メモリ１２１に登録されているか否かを判断する（ステップＳ１０８）。
【０１０４】
ステップＳ１０８の判断処理において、ダイヤル入力された電話番号に対応する電話帳登録データが電話帳メモリ１２１に登録されていると判断したときには、制御部１３０は発信者情報特定部１２３を制御して、相手先に通知する発信者番号と発信者名称とを特定する（ステップＳ１０９）。具体的にステップＳ１０９では、発信者情報特定部１２３は、制御部１３０を通じて提供される該当する電話帳登録データから「発信者番号設定Ｎｏ．」を示す情報と、「発信者名称設定Ｎｏ．」を示す情報を抽出し、これらに基づいて設定情報メモリ１２２の発信者番号設定（設定情報１）、発信者名称設定（設定情報２）を参照して、該当する発信者番号と発信者名称とを特定する。
【０１０５】
そして、制御部１３０は、外線キー群７ｏｔの外線キーなどの発信開始キーが押下操作されると、呼び出しメッセージを形成して送信し、発信する（ステップＳ１１０）。このステップＳ１１０の処理は、上述したステップＳ１０５の処理と同様に、制御部１３０によって呼び出しメッセージを形成し、これをパケット処理部１０３においてパケット化した後、ＬＡＮＩ／Ｆ１０２、ＬＡＮ接続端子１０１を通じてＬＡＮ２に送出してＳＩＰサーバ３に送信する処理である。このステップＳ１１０において形成され、送信される呼び出しメッセージもまた、相手先の電話番号や特定した発信者番号、発信者名称が含むようにされたものである。
【０１０６】
そして、上述もしたように、ＳＩＰサーバ３はＩＰ電話機１からの当該呼び出しメッセージの情報に応じて、目的とする相手先を特定し、当該相手先に送信する呼び出しメッセージを整えてこれを送信する。この後、相手先から応答があると通信回線を接続して通話を行うことができるようにされる。
【０１０７】
一方、ステップＳ１０８の判断処理において、ダイヤル入力された電話番号に対応する電話帳登録データが電話帳メモリ１２１に登録されていないと判断したときには、制御部１３０は、操作入力部１０７の外線キー群７ｏｔの外線キーなどの発信開始キーを通じた操作入力を受け付けるようにする（ステップＳ１１１）。そして、制御部１３０は、発信者情報特定部１２３を制御し、ステップＳ１１１において受け付けた発信操作キーの種別に応じて、相手先（着信先）に通知すべき発信者情報を特定して、発信する処理を行う（ステップＳ１１２）。
【０１０８】
具体的にステップＳ１１２において発信者情報特定部１２３は、ユーザにより操作された発信開始キーの種別（種別）に基づいて、図６に示した発信操作と発信者情報の組み合わせ設定（設定情報３）を参照し、相手先に通知する発信者番号と発信者名称とを特定する。そして、制御部１３０は、ダイヤル入力された電話番号の相手先に送信すべき呼び出しメッセージを形成するが、この呼び出しメッセージに対して特定した発信者番号と発信者名称とを付加して送信する。このステップＳ１１２における呼び出しメッセージの形成から送信までの処理は、上述もしたように、制御部１３０がパケット処理部１０３、ＬＡＮＩ／Ｆ１０２を制御して行うものである。
【０１０９】
このようにしてＩＰ電話機１からＬＡＮ２に送出された呼び出しメッセージはＳＩＰサーバ３に送信される。ＳＩＰサーバ３は、上述もしたように、ＩＰ電話機１からの当該ＩＮＶＩＴＥメッセージの情報に応じて、目的とする相手先を特定し、当該相手先に送信する呼び出しメッセージを整えてこれを送信する。この後、相手先から応答があると通信回線を接続して通話を行うことができるようにされる。
【０１１０】
また、ステップＳ１０６の判断処理において、ステップＳ１０１において受け付けた操作入力がダイヤル入力ではないと判断したときには、制御部１３０は、図１６のステップＳ１１３の処理に進み、受け付けた操作入力は電話帳登録データを選択する操作入力であるか否かを判断する（ステップＳ１１３）。ステップＳ１１３の判断処理において、電話帳登録データを選択する操作入力を受け付けたと判断したときには、制御部１３０は、発信者情報特定部１２３を制御し、選択された発信者番号と発信者名称とを特定する（ステップＳ１１４）。
【０１１１】
具体的にステップＳ１１４では、発信者情報特定部１２３は、制御部１３０を通じて提供される該当する電話帳登録データから「発信者番号設定Ｎｏ．」を示す情報と、「発信者名称設定Ｎｏ．」を示す情報を抽出し、これらに基づいて設定情報メモリ１２２の発信者番号設定（設定情報１）、発信者名称設定（設定情報２）を参照して、該当する発信者番号と発信者名称とを特定する。
【０１１２】
そして、制御部１３０は、外線キー群７ｏｔの外線キーなどの発信開始キーが押下操作されると、上述したステップＳ１１０の処理の場合と同様に、呼び出し（ＩＮＶＩＴＥ）メッセージを形成して送信し、発信する（ステップＳ１１５）。すなわち、ステップＳ１１５においては、制御部１３０が呼び出しメッセージを形成し、これをパケット処理部１０３がパケット化した後、ＬＡＮＩ／Ｆ１０２、ＬＡＮ接続端子１０１を通じてＬＡＮ２に送出し、ＳＩＰサーバ３に送信する処理が行われる。このステップＳ１１５において形成され、送信される呼び出しメッセージもまた、相手先の電話番号や特定した発信者番号、発信者名称を含むものである。
【０１１３】
そして、上述もしたように、ＳＩＰサーバ３はＩＰ電話機１からの当該ＩＮＶＩＴＥメッセージの情報に応じて、目的とする相手先を特定し、当該相手先に送信するＩＮＶＩＴＥメッセージを整えてこれを送信する。この後、相手先から応答があると通信回線を接続して通話を行うことができるようにされる。
【０１１４】
また、ステップＳ１１３の判断処理において、電話帳登録データを選択する操作入力を受け付けていないと判断したときには、制御部１３０は、直接に発信者番号と発信者名称とを選択する処理が行われたか否かを判断する（ステップＳ１１６）。このステップＳ１１６の判断処理は、例えばメニューから選択された処理が、設定情報メモリ１２２の発信者番号設定（設定情報１）や発信者名称設定（設定情報２）から直接に通知すべき発信者番号や発信者名称を選択する処理であるか否かを判断するものである。
【０１１５】
ステップＳ１１６の判断処理において、直接に発信者番号と発信者名称とを選択する処理が行われたと判断したときには、制御部１３０は、発信者情報特定部１２３を制御して、設定情報メモリ１２２の発信者番号設定（設定情報１）や発信者名称設定（設定情報２）から直接に選択された発信者番号や発信者名称を通知する発信者情報として特定する（ステップＳ１１７）。
【０１１６】
この後、制御部１３０は、数字キー群７Ｎｂを通じてダイヤル入力を受け付けたり、電話帳メモリ１２１から目的とする電話帳登録データの選択を受け付けたりすることにより、目的とする相手先の電話番号を受け付ける（ステップＳ１１８）。そして、制御部１３０は、操作入力部１０７の発信キー７Ｓが押下操作されると、呼び出しメッセージを形成して送信し、発信する（ステップＳ１１９）。このステップＳ１１９の処理は、図１５に示したステップＳ１０５の処理と同様の処理である。このステップＳ１１９において形成され、送信される呼び出しメッセージは、相手先の電話番号や特定した発信者番号、発信者名称を含むものである。
【０１１７】
そして、ＳＩＰサーバ３はＩＰ電話機１からの当該呼び出しメッセージの情報に応じて、目的とする相手先を特定し、当該相手先に送信するＩＮＶＩＴＥメッセージを整えてこれを送信する。この後、相手先から応答があると通信回線を接続して通話を行うことができるようにされる。なお、ステップＳ１１６の判断処理において、直接に発信者番号と発信者名称とを選択する処理が行われていないと判断したときには、制御部１３０は、例えば、指示された他の処理を実行することになる（ステップＳ１２０）。
【０１１８】
このようにして、この実施の形態のＩＰ電話機１は、目的とする相手先に電話をかけることができるものである。そして、上述したように、ユーザの発信操作に応じて、相手先に通知する発信者情報を変えることができる。この場合の発信操作は、電話をかける相手先に応じて変えることができるものであり、発信元のＩＰ電話機１は、相手先に応じて、当該相手先に通知する発信者情報を変えることができるようにされる。
【０１１９】
［相手先（着信先）のＩＰ電話機１の動作］
そして、この実施の形態において、発信元と相手先のＩＰ電話機は、同様の構成を有するものであり、上述したＩＰ電話機１として説明した構成を有する。そして、相手先（着信先）のＩＰ電話機１は、自機への着信時において、上述もしたように、自機宛の呼び出しメッセージに含まれる発信者番号や発信者名称を抽出して、これを自機のディスプレイ１１０の表示画面１１０Ｇに表示する。
【０１２０】
図１７は、相手先のＩＰ電話機１の表示画面１１０Ｇに表示される発信者情報の表示例を説明するための図である。図１７に示すように、表示画面１１０Ｇの上段には、自機に着信があることを通知する文字「着信」が表示され、その下側に、発信者名称と発信者番号が表示される。図１７に示した例の場合には、発信者名称として「ＡＺ株式会社  山田○○」が表示され、発信者番号として「０３−１１１１−１２０８」が表示された場合を示している。
【０１２１】
次に、着信先における着信時の処理の概要について説明する。図１８は、着信先のＩＰ電話機１における着信時の処理を説明するためのフローチャートである。図１８に示す処理は、この実施の形態のＩＰ電話機１がいわゆる待ち受け状態にあるときに、主に制御部１３０によって常時実行するようにされている処理である。
【０１２２】
この場合、制御部１３０は、ＬＡＮ接続端子１０１、ＬＡＮＩ／Ｆ１０２、パケット処理部１０３を通じて自機宛てのメッセージを受信するようにし（ステップＳ２０１）、自機宛てのメッセージを受信したか否かを判断する（ステップＳ２０２）。ステップＳ２０２の判断処理において、自機宛のメッセージを受信していないと判断したときには、ステップＳ２０１からの受信処理を繰り返す。このようにして制御部１３０は、自機宛のメッセージを受信するまで自機を待ち受け状態としている。そして、ステップＳ２０２の判断処理において、自機宛てのメッセージを受信したと判断したときには、制御部１３０は、受信したメッセージは、呼び出し（ＩＮＶＩＴＥ）メッセージか否かを判断する（ステップＳ２０３）。
【０１２３】
ステップＳ２０３の判断処理において、受信した自機宛てのメッセージは呼び出し（ＩＮＶＩＴＥ）メッセージではないと判断したときには、受信したメッセージに応じた処理を実行することになる（ステップＳ２０４）。また、ステップＳ２０３の判断処理において、受信した自機宛てのメッセージは呼び出し（ＩＮＶＩＴＥ）メッセージであると判断したときには、制御部１３０は、図１４を用いて説明したように当該呼び出しメッセージに含められている発信者番号、発信者名称を抽出する（ステップＳ２０５）。
【０１２４】
そして、制御部１３０は、抽出した発信者番号、発信者名称を含む制御信号をディスプレイコントローラ１０９に供給し、ディスプレイ１１０の表示画面１１０Ｇに例えば図１７に示した態様で、発信者名称、発信者番号を表示する（ステップＳ２０６）。この後、制御部１３０は、リンガ１１１を制御して呼び出し音を放音させる呼び出し処理を実行し（ステップＳ２０７）、ユーザがオフフック操作した場合に応答メッセージを返信して通信回線を接続するようにし、通話を行えるようにする。
【０１２５】
このように、着信先のＩＰ電話機１においては、自機の電話帳メモリ１２１に登録されている電話帳登録データ等を用いることなく、発信元から送信されてくる呼び出し（ＩＮＶＩＴＥ）メッセージの発信者情報のみにより、発信者情報を表示することができる。そして、発信者元のユーザは、相手先に応じて、発信者名称を変えることができるので、相手先に発信者を明確に通知して、応答を早めたり、回線接続後の通話をスムーズに行うようにしたりすることができるようにされる。さらに、発信者名称と共に、発信者番号をも相手先に応じて変えることができるので、相手先が発信元に電話をかけ直すなどする場合において、発信先が電話をかけてきてほしい電話番号を相手先に通知することができるようにされる。
【０１２６】
［実施の形態の効果］
上述した実施の形態の説明から分かるように、発信元は着信先に応じて、当該着信先に通知すべき発信者情報として、発信者名称や発信者番号を切り替える（使い分ける）ことができる。そして、発信元は着信先に応じて、通知する発信者名称を切り替えることにより、お知らせする発信者名称を理解しやすいものとすることができる。また、発信元は着信先に応じて、通知する発信者番号を切り替えることにより、着信先が折り返し発信に利用すべき電話番号を適切に通知することができる。
【０１２７】
［変形例］
なお、上述した実施の形態においては、発信者名称と発信者番号とを着信先に通知するものとして説明したが、これに限るものではない。発信者名称と発信者番号のいずれか一方のみを通知するようにすることもできる。特に、発信者名称については、従来のように着信先の電話機の電話帳データに対応データが保存されている必要も無いので、発信元が着信先に応じて適切な発信者名称を通知することができる。また、発信者番号についても、電話会社側のサービスとして提供されるものではなく、発信元が着信先に応じて適切な発信者番号を通知することができるので、従来にない顕著な効果を奏することができる。
【０１２８】
また、通知する発信者情報も発信者名称と発信者番号とを１つだけでなく、例えば、個人直通外線番号と共に、個人携帯電話番号を通知するといったように、複数の発信者番号を通知するようにすることも可能である。
【０１２９】
また、図１５、図１６のフローチャートを用いて説明したように、ダイヤル入力された電話番号が、電話帳メモリ１２１に登録されたものであるときには、電話帳メモリ１２１に登録されている当該電話帳登録データに基づいて、発信者名称や発信者番号を特定した。しかし、これに限るものではなく、電話帳メモリ１２１の電話帳登録データから目的とする相手先の電話帳登録データを選択する場合を除いて、操作された発信操作キーの種別に応じて、相手先に通知する発信者名称や発信者番号を特定し、これを通知するようにすることもできる。
【０１３０】
また、上述した「１．発信操作キーで判断」だけを用いて発信者情報を特定するようにしたり、上述した、「２．ダイヤル入力内容で判断」だけを用いて発信者情報を特定するようにしたり、「３．発信者名称と発信者番号を選択」だけを用いて発信者情報を特定するようにしたりするように構成することももちろん可能である。
【０１３１】
［主装置やＳＩＰサーバなの交換装置への応用］
なお、上述した実施の形態においては、発信元のＩＰ電話機１が、操作入力部１０７を通じて受け付けた操作入力に応じて、相手先（着信先）に通知すべき発信者情報を特定し、これを呼び出しメッセージに含めて送信するようにした。しかしこれに限るものではない。当該機能を、例えばＳＩＰサーバ３に持たせるようにすることもできる。すなわち、ＳＩＰサーバ３のたとえば不揮発性メモリに、当該ＳＩＰサーバ３に接続される複数のＩＰ電話機１のそれぞれ毎の設定情報を予め用意して登録しておく。ここでＩＰ電話機１毎の設定情報は、図４に示した発信者番号設定（設定情報１）と、図５に示した発信者名称設定（設定情報２）と、図６に示した発信操作と発信者情報の組み合わせ設定（設定情報３）とである。さらに、ＳＩＰサーバ３の不揮発性メモリに、各ＩＰ電話機１毎に、各ＩＰ電話機１の電話帳メモリ１２１に登録されている相手先の「電話番号」と、上記発信者番号設定（設定情報１）に応じた「発信者番号設定Ｎｏ．」と発信者名称設定（設定情報２）に応じた「発信者名称設定Ｎｏ．」とを対応つけた情報を登録しておく。
【０１３２】
すなわち、図４〜図６を用いて説明した設定情報１〜設定情報３と、図７に示した電話帳登録データの内の必要な情報とをＳＩＰサーバ３の不揮発性メモリに、各ＩＰ電話機１毎に区別可能なように登録しておく。そして、ＳＩＰサーバ３の制御部３１０は、ＬＡＮ接続端子３０５、ＬＡＮＩ／Ｆ３０４を通じて各ＩＰ電話機１からの発信操作に応じた情報の提供を受け付けるようにする。そして、ＳＩＰサーバ３の制御部３１０は、受け付けた発信操作に応じた情報に基づいて、送信元のＩＰ電話機１用の設定情報を参照し、当該ＩＰ電話機１からの呼び出しメッセージに対して付加する発信者情報を特定する。
【０１３３】
ＳＩＰサーバ３の制御部３１０は、この特定した発信者情報を当該ＩＰ電話機１からの呼び出しメッセージに付加し、これをＩＰＩ／Ｆ３０２、ＩＰ網４への接続端子３０１を通じてＩＰ網４に送出し、目的とする相手先に対して送信する。したがって、ＳＩＰサーバ３において、各ＩＰ電話機１からの操作情報と、各ＩＰ電話機毎の設定情報とを用いて、図１５、図１６に示したフローチャートの処理を行うようにすることによって、ＳＩＰサーバ３に上述した実施の形態の発信元のＩＰ電話機１が有する発信者情報の通知機能を持たせるようにすることもできる。
【０１３４】
また、上述した実施の形態においては、ＩＰ電話システムにこの発明を適用した場合を例にして説明したが、これに限るものではない。例えば、相手先に電話をかける場合に発信元から送出する呼び出しメッセージに、発信者情報の付加が可能なデジタル電話システムの電話機やシステムにこの発明を適用することができる。例えば、ＩＳＤＮを通じて通話を行うデジタル電話システムに適用可能である。この場合、ＳＩＰサーバの代わりに主装置と呼ばれる交換装置が用いられることになるが、この主装置に対して、上述したＳＩＰサーバ３に設けるようにすることも可能な発信者情報の通知機能を持たせるようにすることもできる。
【０１３５】
［この発明のシステム、方法、プログラム］
上述もしたように、この発明の電話端末が適用された発信元の電話機と、この発明の電話端末が適用された着信先の電話機とからなるシステムが、この発明の電話システムである。そして、発信元のＩＰ電話機１で実行される図１５、図１６に示したフローチャートの処理と、着信先のＩＰ電話機１で実行される図１８に示したフローチャートの処理が、この発明の電話機で行われる方法の発明に対応する。そして、発信元のＩＰ電話機１で実行される図１５、図１６に示したフローチャートの処理を電話機で実行可能なプログラムとしたものと、着信先のＩＰ電話機１で実行される図１８に示したフローチャートの処理をＩＰ電話機１で実行可能なプログラムとしたものがこの発明のプログラムに該当する。
【０１３６】
［その他］
なお、上述した実施の形態の説明からも分かるように、ＩＰ電話機１の設定情報メモリ１２２、電話帳メモリ１２１が記憶手段、番号記憶手段としての機能を実現し、操作入力部１０７が受付手段としての機能を実現し、発明者情報特定部１２３が特定手段としての機能を実現している。また、ＩＰ電話機１の制御部１３０と発明者情報特定部１２３とパケット処理部１０３とが協働して、形成手段としての機能を実現し、主にＬＡＮＩ／Ｆ１０２が送信手段としての機能を実現している。
【０１３７】
また、ＩＰ電話機１の制御部１３０とディスプレイコントローラ１０９とが協働して表示制御手段、番号表示制御手段としての機能を実現し、主に操作入力部１０７が選択手段、番号選択手段としての機能を実現している。
【０１３８】
また、ＩＰ電話機１の主にＬＡＮＩ／Ｆ１０２が受信手段としての機能を実現し、主に制御部１３０が抽出手段としての機能を実現し、制御部１３０とディスプレイコントローラ１０９とが協働して表示制御手段としての機能を実現している。また、ＩＰ電話機１のディスプレイ１１０が表示手段としての機能を実現している。
【符号の説明】
【０１３９】
１…ＩＰ電話機、１０１…ＬＡＮ接続端子、１０２…ＬＡＮＩ／Ｆ、１０３…パケット処理部、１０４…通話音声入出力Ｉ／Ｆ、１０５…ハンドセット接続端子、１０６…ハンドセット、１０７…操作入力部、１０８…操作入力Ｉ／Ｆ、１０９…ディスプレイコントローラ、１１０…ディスプレイ、１１１…リンガ、１２１…電話帳メモリ、１２２…設定情報メモリ、１２３…発信者情報特定部、１３０…制御部、１３１…ＣＰＵ、１３２…ＲＯＭ、１３３…ＲＡＭ、１３４…ＣＰＵバス、３…ＳＩＰサーバ、３０１…ＩＰ網への接続端子、３０２…ＩＰＩ／Ｆ、３０３…パケット分解／生成部、３０４…ＬＡＮＩ／Ｆ、３０５…ＬＡＮ接続端子、３０６…アドレス管理ＤＢ、３０７…電話網Ｉ／Ｆ、３０８…電話網への接続端子、３１０…制御部、３１１…ＣＰＵ、３１２…ＲＯＭ、３１３…ＲＡＭ、３１４…ＣＰＵバス
【図１】
2011193318.tif 000003
【図２】
2011193318.tif 000004
【図３】
2011193318.tif 000005
【図４】
2011193318.tif 000006
【図５】
2011193318.tif 000007
【図６】
2011193318.tif 000008
【図７】
2011193318.tif 000009
【図８】
2011193318.tif 000010
【図９】
2011193318.tif 000011
【図１０】
2011193318.tif 000012
【図１１】
2011193318.tif 000013
【図１２】
2011193318.tif 000014
【図１３】
2011193318.tif 000015
【図１４】
2011193318.tif 000016
【図１５】
2011193318.tif 000017
【図１６】
2011193318.tif 000018
【図１７】
2011193318.tif 000019
【図１８】
2011193318.tif 000020